(57)【要約】【課題】給水容器をフード本体に装着する際に、水がこぼれることを抑制したレンジフードを提供する。【解決手段】フード本体２と、排気装置３１と、油捕集機構部３２と、洗浄ケーシング１０と、給水容器１２と、水吸込部材１１と、給水容器装着部材１３と、水検知部材２３とを備えたレンジフードであって、水吸込部材１１および水検知部材２３は給水容器装着部材１３に設けられ、給水容器１２は水を溜めるトレイ部１８とトレイ部１８に蓋をするフタ部１９とで構成され、フタ部１９は水検知部材２３および水吸込部材１１を挿入する開口２２を有し、水検知部材２３および水吸込部材１１が開口２２に挿入されていない状態において開口２２を塞ぐ開口蓋部２０を設けたレンジフード。【選択図】図２
2018054205.tif 000002
【特許請求の範囲】
【請求項１】
調理器の上方または周囲に設置され、汚染された空気を吸込む吸込口を有するフード本体と、
前記フード本体の内部に設けられ、前記吸込口から吸込まれた空気を排気する排気装置と、
前記排気装置の羽根車に設けられ、油を捕集する油捕集機構部と、
前記油捕集機構部を浸漬させるための洗浄ケーシングと、
前記洗浄ケーシングに供給する水を溜める給水容器と、
前記給水容器に溜められた水を吸い込む筒状の水吸込部材と、
前記フード本体の内部に設けられ、前記給水容器を前記フード本体に装着するための給水容器装着部材と、
前記給水容器に溜められた水の有無を検知する水検知部材とを備えたレンジフードであって、
前記水吸込部材および前記水検知部材は前記給水容器装着部材に設けられ、
前記給水容器は、水を溜めるトレイ部と、前記トレイ部に蓋をするフタ部とで構成され、
前記フタ部は、前記水検知部材および前記水吸込部材を挿入する開口を有し、
前記水検知部材および前記水吸込部材が前記開口に挿入されていない状態において、前記開口を塞ぐ開口蓋部を設けたことを特徴とするレンジフード。
【請求項２】
前記水吸込部材と前記水検知部材との間に壁面部を設け、
前記水吸込部材および前記水検知部材を前記壁面部を介して一体化したことを特徴とする請求項１に記載のレンジフード。
【請求項３】
前記壁面部の端部近傍に設けられたネジ穴と、
前記ネジ穴に設けられるネジに接続されるワッシャーと、
前記ワッシャーに引っかかるフロート部材とを備え、
前記水検知部材は、前記フロート部材の高さを検知することにより、前記給水容器に溜められた水の有無を検知し、
前記フロート部材は、前記水吸込部材および前記水検知部材を囲むようなドーナッツ形状であることを特徴とする請求項２に記載のレンジフード。
【請求項４】
前記開口および前記開口蓋部は楕円形状であり、
前記楕円形状の長手方向を回転軸として、前記開口蓋部にヒンジ機構を設け、
前記開口が前記開口蓋部により塞がれた状態で前記給水容器を前記給水容器装着部材に装着する際、前記水検知部材または前記水吸込部材が前記開口蓋部を押し、前記ヒンジ機構による回転により前記開口蓋部が回動して、前記開口が開き、前記水検知部材および前記水吸込部材が前記開口に挿入されることを特徴とする請求項１〜３の何れか１項に記載のレンジフード。
【発明の詳細な説明】
【技術分野】
【０００１】
本発明は、洗浄機能を備えたレンジフードに関するものである。
【背景技術】
【０００２】
従来、この種のレンジフードは、調理で発生する油煙や埃等を捕集する目的として、油捕集機構部が取り付けられていた。この油捕集機構部は使用とともに汚れが付着するため、性能が低下したり、捕集部から油垂れが生じるので、定期的に掃除を行う必要があった。また、それは排気用に設けられた羽根車についても同様である。
【０００３】
また、これら掃除の手間を軽減する目的で油捕集機構部を自動的に浄化する手段として、油捕集機構部に駆動装置を取り付けて回転させることにより、遠心力で汚れを除去する方法が知られている（例えば、特許文献１参照）。
【０００４】
以下、そのレンジフードについて図６を参照しながら説明する。
【０００５】
図６に示すように、汚れた空気１０１は、吸込口１０２を通過して排気ファン１０３の上流に配置されたフィルター１０４を通過する。このフィルター１０４を回転させる駆動装置１０５と、フィルター１０４の汚れを検知するセンサー１０６とを備えることで、フィルター１０４の汚れを検知してフィルター１０４を駆動装置１０５で回転させ、汚れを遠心力で除去する。
【０００６】
また、給水部（給水容器）に溜められた水を羽根車に設けられた油捕集機構部に注入し、洗浄する方法も知られている（例えば、特許文献２参照）。
【先行技術文献】
【特許文献】
【０００７】
【特許文献１】特開平３−１６４６３９号公報
【特許文献２】特開２０１４−６２７１２号公報
【発明の概要】
【発明が解決しようとする課題】
【０００８】
このような従来のレンジフードにおいては、水を溜める給水容器を設ける場合、給水容器をフード本体に装着する際に、水がこぼれるおそれがあり、このような状態では、作業者による装着がしにくく不安定になる、という課題を有していた。
【０００９】
そこで本発明は、上記従来の課題を解決するものであり、給水容器をフード本体に装着する際に、水がこぼれることを抑制して、給水容器の装着がしやすいレンジフードを提供することを目的とする。
【課題を解決するための手段】
【００１０】
そして、この目的を達成するために、本発明の一態様に係るレンジフードは、調理器の上方または周囲に設置され、汚染された空気を吸込む吸込口を有するフード本体と、前記フード本体の内部に設けられ、前記吸込口から吸込まれた空気を排気する排気装置と、前記排気装置の羽根車に設けられ、油を捕集する油捕集機構部と、前記油捕集機構部を浸漬させるための洗浄ケーシングと、前記洗浄ケーシングに供給する水を溜める給水容器と、前記給水容器に溜められた水を吸い込む筒状の水吸込部材と、前記フード本体の内部に設けられ、前記給水容器を前記フード本体に装着するための給水容器装着部材と、前記給水容器に溜められた水の有無を検知する水検知部材とを備えたレンジフードであって、前記水吸込部材および前記水検知部材は前記給水容器装着部材に設けられ、前記給水容器は、水を溜めるトレイ部と、前記トレイ部に蓋をするフタ部とで構成され、前記フタ部は、前記水検知部材および前記水吸込部材を挿入する開口を有し、前記水検知部材および前記水吸込部材が前記開口に挿入されていない状態において、前記開口を塞ぐ開口蓋部を設けたこととしたものであり、これにより所期の目的を達成するものである。
【発明の効果】
【００１１】
本発明によれば、給水容器をフード本体に装着する際に、水がこぼれることを抑制したレンジフードを得ることができる。
【図面の簡単な説明】
【００１２】
【図１】本発明の実施の形態１のレンジフードを示す側面構成図
【図２】同レンジフードの給水容器を示す斜視図
【図３】同レンジフードのフタ部にて開口蓋部が開いた状態を示す斜視図
【図４】給水容器装着部材と給水容器を示す斜視図
【図５】給水容器装着部材に給水容器が装着されている状態を示す側面断面図
【図６】従来のレンジフードを示す側面構成図
【発明を実施するための形態】
【００１３】
本発明の一態様に係るレンジフードは、調理器の上方または周囲に設置され、汚染された空気を吸込む吸込口を有するフード本体と、前記フード本体の内部に設けられ、前記吸込口から吸込まれた空気を排気する排気装置と、前記排気装置の羽根車に設けられ、油を捕集する油捕集機構部と、前記油捕集機構部を浸漬させるための洗浄ケーシングと、前記洗浄ケーシングに供給する水を溜める給水容器と、前記給水容器に溜められた水を吸い込む筒状の水吸込部材と、前記フード本体の内部に設けられ、前記給水容器を前記フード本体に装着するための給水容器装着部材と、前記給水容器に溜められた水の有無を検知する水検知部材とを備えたレンジフードであって、前記水吸込部材および前記水検知部材は前記給水容器装着部材に設けられ、前記給水容器は、水を溜めるトレイ部と、前記トレイ部に蓋をするフタ部とで構成され、前記フタ部は、前記水検知部材および前記水吸込部材を挿入する開口を有し、前記水検知部材および前記水吸込部材が前記開口に挿入されていない状態において、前記開口を塞ぐ開口蓋部を設けたという構成を有する。
【００１４】
給水容器をレンジフードに装着する際、トレイ部に溜められた水がゆれるが、この構成により、開口から乗り上げようとする水を抑えることができる。このため、給水容器から水がこぼれることを抑制し、給水容器の装着がしやすいレンジフードを得ることができる。
【００１５】
以下、本発明の実施の形態について図面を参照しながら説明する。
【００１６】
（実施の形態１）
図１に示すように、レンジフードは、フード本体２と、排気装置３１と、洗浄ケーシング１０と、水吸込部材１１と、給水容器１２と、給水容器装着部材１３と、水検知部材２３（図４）とを備える。
【００１７】
フード本体２は吸込口１を有する。調理器（図示せず）の上方において、調理にて発生した油煙や周囲に浮遊する埃である微小物を捕集する吸込口１を調理者（図示せず）が立っている前方側に設ける。
【００１８】
フード本体２の天面には、屋外と連通したダクト３を介して連通する吐出口４を設ける。フード本体２の内部には遠心ファンである羽根車５を包括した洗浄ケーシング１０を配設する。
【００１９】
排気装置３１は、羽根車５およびモータ１７で構成される。
【００２０】
フード本体２の内部において、羽根車５を介し吸込口１と吐出口４を結ぶ通風路７を形成している。
【００２１】
フード本体２内の吸込口１の近傍には平坦な整流板８が設けられる。
【００２２】
羽根車５には油や埃を捕集するための油捕集機構部３２が設けられる。
【００２３】
洗浄ケーシング１０内において、羽根車５の外側の下方に羽根車５を浸漬させるための貯水部(図示せず)が設けられている。
【００２４】
洗浄ケーシング１０の下方には、洗浄ケーシング１０に供給する水を溜める給水容器１２と、給水容器１２に溜められた水を吸い込む筒状の水吸込部材１１と給水容器１２に溜められた水の有無を検知する例えばフロート等の水検知部材２３とが設けられる。
【００２５】
給水容器装着部材１３はフード本体２の内部奥側に設けられる。
【００２６】
給水容器１２は、給水容器装着部材１３に装着され、給水容器装着部材１３を介してフード本体２に装着される。
【００２７】
図２に示すように、給水容器１２は、水を溜めるトレイ部１８と、トレイ部１８に蓋をするフタ部１９とで構成される。
【００２８】
図３および図４に示すように、フタ部１９は、水検知部材２３および水吸込部材１１を挿入する開口２２を有し、水検知部材２３および水吸込部材１１が開口２２に挿入されていない状態において、開口２２を塞ぐ開口蓋部２０を設けている。
【００２９】
フタ部１９の裏面には溜められた水の揺れを抑制する水ゆれ防止リブ部２１を設けてもよい。
【００３０】
図４に示すように、水吸込部材１１および水検知部材２３は給水容器装着部材１３に設けられる。
【００３１】
水吸込部材１１は給水ポンプ(図示せず)を介して洗浄ケーシング１０と連通している。
給水ポンプが駆動することにより、給水容器１２内の水を水吸込部材１１を介して洗浄ケーシング１０内へ供給する。
【００３２】
洗浄ケーシング１０の下端部には小孔(図示せず)を設け、小孔は小孔近傍に設けられた弁（図示せず）により開閉できる構造とし、弁により小孔を開放することで洗浄ケーシング１０内に散乱した汚水を小孔から排水して排水容器１６へ回収する。
【００３３】
上記構成において、調理時に発生した油や室内の埃などの汚れは、羽根車５をモータ１７（例えばＤＣモータ）により回転させることで、整流板８の四方周囲の吸込口１からフード本体２内に吸い込まれ、羽根車５の油捕集機構部３２にて捕集・蓄積されていく。
【００３４】
羽根車５の通過後の浄化された空気は、羽根車５によって吐出口４よりダクト３を通じ屋外に排出される。その過程で、羽根車５や油捕集機構部３２に油や埃が蓄積されていく。
【００３５】
羽根車５には、整流板８の周囲の吸込口１からフード本体２内に吸こまれた油、埃が羽根車５の羽根部分に付着、蓄積することにより羽根車５内の風の流れが変化し排出風量の低下を招くこととなる。
【００３６】
そのため、羽根車５の洗浄を行うが、まず、モータ１７により羽根車５を回転させ、同時に給水ポンプにより給水容器１２に貯めた水を汲み上げ水吸込部材１１から給水ポンプ、洗浄ケーシング内水供給部材（図示せず）を介して洗浄ケーシング１０内に水を供給する。
【００３７】
そして、給水容器１２内の水を事前に供給し、洗浄ケーシング内水供給部材の水供給口（図示せず）より供給された水は膜状に蓄積した油や埃に衝突することで汚れの膜を破砕し剥離除去し、回転による遠心力にて羽根車５から飛散させて洗浄することとなる。
【００３８】
上記洗浄動作の前に、トレイ部１８に水を入れる。そして、水の入ったトレイ部１８をフタ部１９でフタをする。この際、開口２２は開口蓋部２０により塞がれた状態となっている。
【００３９】
水の入った給水容器１２を給水容器装着部材１３の下方に装着する前は、開口２２は開口蓋部２０により塞がれた状態となっているため、給水容器１２から水がこぼれることを抑制することができる。
【００４０】
そして、給水容器１２を給水容器装着部材１３に装着し始めたとき、水検知部材２３または水吸込部材１１の端部が開口蓋部２０を押すことで、開口蓋部２０が下へ動く（または下へ落下する）。そして、開口２２が開き、水検知部材２３および水吸込部材１１が開口２２に挿入される。
【００４１】
このように、本実施形態のレンジフードによれば、給水容器１２を給水容器装着部材１３に装着する際、開口２２から乗り上げようとする水を抑えることができる。このため、給水容器１２から水がこぼれることを抑制し、給水容器１２の装着がしやすいレンジフードを得ることができる。
【００４２】
また、さらに、フタ部１９の裏面には溜められた水の揺れを抑制する水ゆれ防止リブ部２１を設けてもよい。水の入った給水容器１２を給水容器装着部材１３の下方に装着する際、トレイ部１８に溜められた水がゆれるが、波打つ水がフタ部１９に設けた水ゆれ防止リブ部２１に衝突し、大きな水のゆれを小さなゆれにすることができる。この結果、さらに水がこぼれることを抑制できる。そして、給水容器１２の装着が不安定になることを抑制することができる。
【００４３】
また、図５に示すように、水吸込部材１１と水検知部材２３との間に壁面部２４を設け、水吸込部材１１および水検知部材２３を壁面部２４を介して一体化してもよい。一体化することで、水吸込部材１１と水検知部材２３との距離を縮めることができる。このため、水吸込部材１１および水検知部材２３が挿入される開口２２の大きさも小さくすることができる。
【００４４】
すなわち、給水容器１２を給水容器装着部材１３に装着した際、水吸込部材１１および水検知部材２３が挿入されるフタ部１９の開口２２の開口面積を小さくすることができるため、開口２２からの水こぼれをさらに抑制することができる。
【００４５】
上記では水吸込部材１１および水検知部材２３を一体化としたが、ある程度の距離を開けても良く、距離を開けた分開口面積が大きくなる。
【００４６】
ここで、水検知部材２３について補足する。水検知部材２３の周囲には図示しないフロート部材が設けられる。フロート部材は水に浮く性質があり、トレイ部１８に溜まった水の水面とともに上下に移動する。水検知部材２３が例えば磁気的にフロート部材の位置を検知することにより、水検知部材２３はトレイ部１８の水の有無を検知することができる。
【００４７】
なお、図４に示すように、ネジ穴４１を設けてもよい。この場合、ネジ穴４１にネジ（不図示）を通すことにより、ネジとワッシャー（不図示）を接続する。トレイ部１８に水がなくなると、フロート部材は下へ下がるが、ワッシャーに引っかかることにより、フロート部材がトレイ部１８の底面に落下することを防止できる。また、この場合、フロート部材は、１例として、水検知部材２３および水吸込部材１１を囲むような楕円ドーナッツ形状となる。このような構成によれば、水吸込部材１１および水検知部材２３を一体化した長所を活かしつつ、実用に適したレンジフードを得ることができる。
【００４８】
また、フタ部１９の開口２２および開口蓋部２０は楕円形状であり、楕円形状の長手方向を回転軸として、開口蓋部２０にヒンジ機構を設けてもよい。この場合、開口２２が開口蓋部２０により塞がれた状態で給水容器１２を給水容器装着部材１３に装着する際、水検知部材２３または水吸込部材１１が開口蓋部２０を押し、ヒンジ機構による回転により開口蓋部２０が回動して、開口２２が開き、水検知部材２３および水吸込部材１１が開口２２に挿入される。このように、給水容器装着部材１３に給水容器１２がある程度収まった状態で開口２２が開くことになる。このため、給水容器１２を給水容器装着部材１３に装着し始める前の段階で開口２２が開くことを防ぐので、フード本体２の下面にあるコンロ（図示せず）やコンロ上においている調理鍋（図示せず）に対して水のこぼれを抑制することができる。
【００４９】
上記では、開口２２および開口蓋部２０を楕円形状としたが、形状は他の形状（円、正方形、長方形など）でもよい。
【００５０】
以下、実施の形態について、補足する。
【００５１】
本発明の一態様に係るレンジフードは、調理器の上方または周囲に設置され、汚染された空気を吸込む吸込口１を有するフード本体２と、フード本体２の内部に設けられ、吸込口１から吸込まれた空気を排気する排気装置３１と、排気装置３１の羽根車５に設けられ、油を捕集する油捕集機構部３２と、油捕集機構部３２を浸漬させるための洗浄ケーシング１０と、洗浄ケーシング１０に供給する水を溜める給水容器１２と、給水容器１２に溜められた水を吸い込む筒状の水吸込部材１１と、フード本体２の内部に設けられ、給水容器１２をフード本体２に装着するための給水容器装着部材１３と、給水容器１２に溜められた水の有無を検知する水検知部材２３とを備えたレンジフードであって、水吸込部材１１および水検知部材２３は給水容器装着部材１３に設けられ、給水容器１２は、水を溜めるトレイ部１８と、トレイ部１８に蓋をするフタ部１９とで構成され、フタ部１９は、水検知部材２３および水吸込部材１１を挿入する開口２２を有し、水検知部材２３および水吸込部材１１が開口２２に挿入されていない状態において、開口２２を塞ぐ開口蓋部２０を設けたという構成を有する。
【００５２】
給水容器１２をレンジフードに装着する際、トレイ部１８に溜められた水がゆれるが、この構成により、開口２２から乗り上げようとする水を抑えることができる。このため、給水容器１２から水がこぼれることを抑制し、給水容器１２の装着がしやすいレンジフードを得ることができる。
【００５３】
また、水吸込部材１１と水検知部材２３との間に壁面部２４を設け、水吸込部材１１および水検知部材２３を壁面部２４を介して一体化したという構成にしてもよい。
【００５４】
これにより、フタ部１９の開口２２の開口面積を小さくすることができるため、開口２２からの水こぼれをさらに抑制することができる。
【００５５】
また、壁面部２４の端部近傍に設けられたネジ穴４１と、ネジ穴４１に設けられるネジに接続されるワッシャーと、ワッシャーに引っかかるフロート部材とを備え、水検知部材２３はフロート部材の高さを検知することにより、給水容器１２に溜められた水の有無を検知し、フロート部材は水吸込部材１１および水検知部材２３を囲むようなドーナッツ形状であるという構成にしてもよい。
【００５６】
これにより、水吸込部材１１および水検知部材２３を一体化した長所を活かしつつ、実用に適したレンジフードを得ることができる。
【００５７】
また、開口２２および開口蓋部２０は楕円形状であり、楕円形状の長手方向を回転軸として、開口蓋部２０にヒンジ機構を設け、開口２２が開口蓋部２０により塞がれた状態で給水容器１２を給水容器装着部材１３に装着する際、水検知部材２３または水吸込部材１１が開口蓋部２０を押し、ヒンジ機構による回転により開口蓋部２０が回動して、開口２２が開き、水検知部材２３および水吸込部材１１が開口２２に挿入されるという構成にしてもよい。
【００５８】
これにより、給水容器１２をレンジフードに装着する際、給水容器装着部材１３に給水容器１２がある程度収まった状態で開口蓋部２０が開くことになる。このため、給水容器１２を給水容器装着部材１３の方に運ぼうとしている過程の中で開口蓋部２０が開くことを防ぐため、水のこぼれを抑制することができる。すなわち、給水容器１２が給水容器装着部材１３に装着され始める前までは、開口２２が開口蓋部２０により閉じられる状態を継続できるため、開口２２から水がこぼれることを抑制することができる。
【産業上の利用可能性】
【００５９】
本発明に係るレンジフードは、給水を必要とする洗浄機能を設けた換気扇等として有用である。
【符号の説明】
【００６０】
１    吸込口
２    フード本体
３    ダクト
４    吐出口
５    羽根車
７    通風路
８    整流板
１０    洗浄ケーシング
１１    水吸込部材
１２    給水容器
１３    給水容器装着部材
１６    排水容器
１７    モータ
１８    トレイ部
１９    フタ部
２０    開口蓋部
２１    水ゆれ防止リブ部
２２    開口
２３    水検知部材
２４    壁面部
３１    排気装置
３２    油捕集機構部
４１    ネジ穴
【図１】
2018054205.tif 000003
【図２】
2018054205.tif 000004
【図３】
2018054205.tif 000005
【図４】
2018054205.tif 000006
【図５】
2018054205.tif 000007
【図６】
2018054205.tif 000008